【手続補正書】
【提出日】平成17年8月12日(2005.8.12)
【手続補正１】
【補正対象書類名】明細書
【補正対象項目名】発明の名称
【補正方法】変更
【補正の内容】
【発明の名称】ネットワークシステム、デバイス、デバイスの制御方法、及び、記憶媒体
【手続補正２】
【補正対象書類名】明細書
【補正対象項目名】特許請求の範囲
【補正方法】変更
【補正の内容】
【特許請求の範囲】
【請求項１】
ホスト装置とネットワークを介して接続されるデバイスであって、
デバイスの機能が変化したか判別する判別手段と、
前記判別手段によりデバイスの機能が変化したと判別された場合、ホスト装置にドライバを削除させるためにネットワークからの切断処理を行う切断手段と、
前記切断手段が切断処理を実行した後、ホスト装置にドライバをインストールするためにネットワークへの接続処理を行う実行手段とを有することを特徴とするデバイス。
【請求項２】
前記接続手段は、ドライバを削除するための所定時間経過後、接続処理を行なうことを特徴とする請求項１記載のデバイス。
【請求項３】
前記切断手段は、信号線に電源供給を止めることにより切断処理を行なうことを特徴とする請求項１記載のデバイス。
【請求項４】
前記判別手段は、オプションの装着に応じて判別することを特徴とする請求項１記載のデバイス。
【請求項５】
前記判別手段は、プリント機能とスキャン機能との切り替えに応じて判別することを特徴とする請求項１記載のデバイス。
【請求項６】
前記接続手段により接続後、情報を転送する手段をさらに有することを特徴とする請求項１記載のデバイス。
【請求項７】
前記転送手段により転送された情報に基づきドライバを選択することを特徴とする請求項６記載のデバイス。
【請求項８】
ホスト装置とネットワークを介して接続されるデバイスの制御方法であって、
デバイスの機能が変化したか判別する判別ステップと、
前記判別ステップによりデバイスの機能が変化したと判別された場合、ホスト装置にドライバを削除させるためにネットワークからの切断処理を行う切断ステップと、
前記切断ステップが切断処理を実行した後、ホスト装置にドライバをインストールするためにネットワークへの接続処理を行う実行ステップとを有することを特徴とするデバイスの制御方法。
【請求項９】
前記接続ステップは、ドライバを削除するための所定時間経過後、接続処理を行なうことを特徴とする請求項８記載のデバイスの制御方法。
【請求項１０】
前記切断ステップは、信号線に電源供給を止めることにより切断処理を行なうことを特徴とする請求項８記載のデバイスの制御方法。
【請求項１１】
前記判別ステップは、オプションの装着に応じて判別することを特徴とする請求項８記載のデバイスの制御方法。
【請求項１２】
前記判別ステップは、プリント機能とスキャン機能との切り替えに応じて判別することを特徴とする請求項８記載のデバイスの制御方法。
【請求項１３】
前記接続ステップにより接続後、情報を転送するステップをさらに有することを特徴とする請求項８記載のデバイスの制御方法。
【請求項１４】
前記転送ステップにより転送された情報に基づきドライバを選択することを特徴とする請求項１３記載のデバイスの制御方法。
【請求項１５】
ホスト装置とネットワークで接続されるデバイスで実行されるプログラムを記憶した記憶媒体であって、
デバイスの機能が変化したか判別する判別ステップと、
前記判別ステップによりデバイスの機能が変化したと判別された場合、ホスト装置にドライバを削除させるためにネットワークからの切断処理を行う切断ステップと、
前記切断ステップが切断処理を実行した後、ホスト装置にドライバをインストールするためにネットワークへの接続処理を行う実行ステップとをデバイスに実行させるプログラムを記憶したことを特徴とする記憶媒体。
【請求項１６】
前記接続ステップは、ドライバを削除するための所定時間経過後、接続処理を行なうことを特徴とする請求項１５記載の記憶媒体。
【請求項１７】
前記切断ステップは、信号線に電源供給を止めることにより切断処理を行なうことを特徴とする請求項１５記載の記憶媒体。
【請求項１８】
前記判別ステップは、オプションの装着に応じて判別することを特徴とする請求項１５記載の記憶媒体。
【請求項１９】
前記判別ステップは、プリント機能とスキャン機能との切り替えに応じて判別することを特徴とする請求項１５記載の記憶媒体。
【請求項２０】
前記接続ステップにより接続後、情報を転送するステップをさらにデバイスに実行させるプログラムを記憶したことを特徴とする請求項１５記載の記憶媒体。
【請求項２１】
前記転送ステップにより転送された情報に基づきドライバを選択することを特徴とする請求項２０記載の記憶媒体。
【請求項２２】
ホスト装置と、前記ホストとネットワークを介して接続されるデバイスとを有するネットワークシステムであって、
前記デバイスは、
デバイスの機能が変化したか判別する判別手段と、
前記判別手段によりデバイスの機能が変化したと判別された場合、ホスト装置にドライバを削除させるためにネットワークからの切断処理を行う切断手段と、
前記切断手段が切断処理を実行した後、ホスト装置にドライバをインストールするためにネットワークへの接続処理を行う実行手段とを有し、
前記ホスト装置は、
デバイスがネットワークから切断されるとドライバを削除する削除手段と、
デバイスがネットワークに接続されるとドライバをインストールするインストール手段とを有することを特徴とするネットワークシステム。
【手続補正３】
【補正対象書類名】明細書
【補正対象項目名】０００１
【補正方法】変更
【補正の内容】
【０００１】
【発明の属する技術分野】
本発明は、例えばコンピュータを含むネットワーク等に接続されるデバイスとその制御方法及びネットワークシステムに関するものである。
【手続補正４】
【補正対象書類名】明細書
【補正対象項目名】０００６
【補正方法】変更
【補正の内容】
【０００６】
本発明は上記従来例に鑑みてなされたもので、有している機能に応じて自動的に認識され、操作性の良好なデバイスとその制御方法及びネットワークシステムを提供することを目的とする。
【手続補正５】
【補正対象書類名】明細書
【補正対象項目名】０００７
【補正方法】変更
【補正の内容】
【０００７】
また、特別なドライバを用意しなくとも、クラス分けになじみ、クラスに対応する標準ドライバでも駆動可能なデバイスとその制御方法及ネットワークシステムを提供することを目的とする。
【手続補正６】
【補正対象書類名】明細書
【補正対象項目名】０００８
【補正方法】変更
【補正の内容】
【０００８】
また、デバイスの機能が切り替えられた場合に、それをホストコンピュータに認識させるための特別な操作をユーザが行う必要はないデバイスとその制御方法及ネットワークシステムを提供することを目的とする。
【手続補正７】
【補正対象書類名】明細書
【補正対象項目名】０００９
【補正方法】変更
【補正の内容】
【０００９】
また、デバイスの機能の切換処理をネットワークに接続されている他の装置に影響を与えることなく行うことができるデバイスとその制御方法及ネットワークシステムを提供することを目的とする。
【手続補正８】
【補正対象書類名】明細書
【補正対象項目名】００１０
【補正方法】変更
【補正の内容】
【００１０】
また、ホストコンピュータから複合装置に対する機能の切り換え要求に応じて当該複合装置がホストコンピュータに機能の切り換えを認識させるため、ホストコンピュータ側のソフトやハードを変更することなく複合装置の機能の切換を行わせることができる複合装置とその制御方法及ネットワークシステムを提供することを目的とする。
【手続補正９】
【補正対象書類名】明細書
【補正対象項目名】００１１
【補正方法】変更
【補正の内容】
【００１１】
【課題を解決するための手段】
上記目的を達成するために本発明のデバイスは、
ホスト装置とネットワークを介して接続されるデバイスであって、
デバイスの機能が変化したか判別する判別手段と、
前記判別手段によりデバイスの機能が変化したと判別された場合、ホスト装置にドライバを削除させるためにネットワークからの切断処理を行う切断手段と、
前記切断手段が切断処理を実行した後、ホスト装置にドライバをインストールするためにネットワークへの接続処理を行う実行手段とを有することを特徴とする。
【手続補正１０】
【補正対象書類名】明細書
【補正対象項目名】００１２
【補正方法】変更
【補正の内容】
【００１２】
また、本発明のデバイスの制御方法は、
ホスト装置とネットワークを介して接続されるデバイスの制御方法であって、
デバイスの機能が変化したか判別する判別ステップと、
前記判別ステップによりデバイスの機能が変化したと判別された場合、ホスト装置にドライバを削除させるためにネットワークからの切断処理を行う切断ステップと、
前記切断ステップが切断処理を実行した後、ホスト装置にドライバをインストールするためにネットワークへの接続処理を行う実行ステップとを有することを特徴とする。
【手続補正１１】
【補正対象書類名】明細書
【補正対象項目名】００１３
【補正方法】変更
【補正の内容】
【００１３】
また、本発明の記憶媒体は、
ホスト装置とネットワークで接続されるデバイスで実行されるプログラムを記憶した記憶媒体であって、
デバイスの機能が変化したか判別する判別ステップと、
前記判別ステップによりデバイスの機能が変化したと判別された場合、ホスト装置にドライバを削除させるためにネットワークからの切断処理を行う切断ステップと、
前記切断ステップが切断処理を実行した後、ホスト装置にドライバをインストールするためにネットワークへの接続処理を行う実行ステップとをデバイスに実行させるプログラムを記憶したことを特徴とする。
【手続補正１２】
【補正対象書類名】明細書
【補正対象項目名】００１４
【補正方法】変更
【補正の内容】
【００１４】
また、本発明のネットワークシステムは、
ホスト装置と、前記ホストとネットワークを介して接続されるデバイスとを有するネットワークシステムであって、
前記デバイスは、
デバイスの機能が変化したか判別する判別手段と、
前記判別手段によりデバイスの機能が変化したと判別された場合、ホスト装置にドライバを削除させるためにネットワークからの切断処理を行う切断手段と、
前記切断手段が切断処理を実行した後、ホスト装置にドライバをインストールするためにネットワークへの接続処理を行う実行手段とを有し、
前記ホスト装置は、
デバイスがネットワークから切断されるとドライバを削除する手段と、
デバイスがネットワークに接続されるとドライバをインストールするインストール手段とを有することを特徴とする。
【手続補正１３】
【補正対象書類名】明細書
【補正対象項目名】００９７
【補正方法】変更
【補正の内容】
【００９７】
【発明の効果】
以上説明したように、本発明にかかるデバイスとその制御方法及びネットワークシステムによれば、当該デバイスを使用される機能に応じたデバイスとしてホストコンピュータに認識させることができる。
【手続補正１４】
【補正対象書類名】明細書
【補正対象項目名】００９８
【補正方法】変更
【補正の内容】
【００９８】
このため、デバイスは、有している機能を自動的に認識され、良好な操作性を実現できる。
【手続補正１５】
【補正対象書類名】明細書
【補正対象項目名】０１００
【補正方法】変更
【補正の内容】
【０１００】
また、デバイスの機能が切り替えられた場合に、それをホストコンピュータに認識させるための特別な操作をユーザが行う必要はない。
【手続補正１６】
【補正対象書類名】明細書
【補正対象項目名】０１０１
【補正方法】変更
【補正の内容】
【０１０１】
また、デバイスの機能の切換処理をネットワークに接続されている他の装置に影響を与えることなく行うことができる。
【手続補正１７】
【補正対象書類名】明細書
【補正対象項目名】０１０２
【補正方法】変更
【補正の内容】
【０１０２】
また、ホストコンピュータからデバイスに対する機能の切り換え要求に応じて当該デバイスがホストコンピュータに機能の切り替えを認識させるため、ホストコンピュータ側のソフトやハードを変更することなくデバイスの機能の切換を行わせることができる。